(57)【要約】【課題】外扉の剛性を高める一方、展示室を強調し、展示室の背景に広告等を施すことが可能な自動販売機を提供すること。【解決手段】展示室となる凹部３０を一体に形成した外扉３と、外扉３に開閉可能に取り付けて展示室の前面をなす透明な展示扉４０とを備えた自動販売機１において、凹部３０に着脱可能な表示シート３２を備えので、外扉３の剛性を高める一方、展示室を強調し、展示室の背景に広告等を施すことが可能な自動販売機を提供できる。【選択図】        図１
2005235096.tif 000002
【特許請求の範囲】
【請求項１】
展示室となる凹部を一体に形成した外扉と、前記外扉に開閉可能に取り付けて前記展示室の前面をなす透明な展示扉とを備えた自動販売機において、
前記凹部に着脱可能な表示シートを備えたことを特徴とする自動販売機。
【請求項２】
前記表示シートの表面と裏面にそれぞれ表示を施したことを特徴とする請求項１に記載の自動販売機。
【発明の詳細な説明】
【技術分野】
【０００１】
本発明は、自動販売機に関し、特に、展示室となる凹部を一体に形成した外扉を有する自動販売機に関するものである。
【背景技術】
【０００２】
缶入り飲料等の商品を販売する自動販売機は、外扉と、外扉の背面をなす中扉と、外扉の前面をなす透明体とにより画成した展示室を有し、この展示室に商品見本を展示することにより、利用者による商品選択の利便を図っている。また、この展示室の後面、すなわち透明体を透過して観察可能な中扉の前面、には、販売を促進させる広告等が施してある。
【０００３】
しかしながら、中扉の前面に広告等を直接施したのでは、広告等を変更する場合には、中扉自体を取り替える必要があった。この問題を解決するために、中扉に着脱可能に装着する表示パネルを備えた自動販売機が提案されている（例えば、特許文献１参照）。
【０００４】
一方、中扉の前面が展示室を画成する自動販売機の外扉は、商品見本の交換のために中扉を開閉可能に取り付けてあるため、剛性の低いものとなっていた。この問題を解決するために、外扉に展示室となる凹部を一体に形成する一方、展示室の凹部を覆う扉体を外扉に対して開閉可能に設けた自動販売機が提案されている（例えば、特許文献２参照）。
【０００５】
【特許文献１】特開平９−２９３１６７号公報
【特許文献２】特開２００２−７４４８６号公報
【発明の開示】
【発明が解決しようとする課題】
【０００６】
しかしながら、この自動販売機は、販売を促進するために、展示室を強調すべく展示室の背景色を外扉の色と異ならしめる場合、展示室の背景に広告等を施す場合には、マスキングを施した後に塗装等する必要があった。
【０００７】
本発明は、上記実情に鑑みて、外扉の剛性を高める一方、展示室を強調し、展示室の背景に広告等を施すことが可能な自動販売機を提供することを目的とする。
【課題を解決するための手段】
【０００８】
上記の目的を達成するために、本発明の請求項１に係る自動販売機は、展示室となる凹部を一体に形成した外扉と、前記外扉に開閉可能に取り付けて前記展示室の前面をなす透明な展示扉とを備えた自動販売機において、前記凹部に着脱可能な表示シートを備えたことを特徴とする。
【０００９】
また、本発明の請求項２に係る自動販売機は、上記請求項１において、前記表示シートの表面と裏面にそれぞれ表示を施したことを特徴とする。
【発明の効果】
【００１０】
本発明に係る自動販売機は、展示室となる凹部を一体に形成した外扉と、外扉に開閉可能に取り付けて展示室の前面をなす透明な展示扉とを備えた自動販売機において、凹部に着脱可能な表示シートを備えたので、外扉の剛性を高める一方、展示室を強調し、展示室の背景に広告等を施すことが可能な自動販売機を提供できるという効果を奏する。
【００１１】
また、表示シートの表面と裏面にそれぞれ表示を施したので、自動販売機の設置事業者の意志によって、自動販売機の展示室の背景を表示シートの表面に施したものと裏面に施したものとから任意に選択できるという効果を奏する。
【発明を実施するための最良の形態】
【００１２】
以下に添付図面を参照して、本発明に係る自動販売機の好適な実施例を詳細に説明する。なお、この実施例によりこの発明が限定されるものではない。
【実施例１】
【００１３】
図１は本発明の実施例に係る自動販売機の外観斜視図、図２は図１に示した自動販売機の展示扉を開成した状態を示す外観斜視図、図３は実施例１に係る自動販売機の展示室を示す分解斜視図である。
【００１４】
自動販売機１は、本体キャビネット２と、外扉３とを有し、外扉３は本体キャビネット２に開閉可能に取り付けてある。この外扉３は、自動販売機１を設置したときに、自動販売機１の利用者が対面する部分であり、この外扉３は、鋼板を用いて、凹部３０を絞り加工等により一体に形成してある。
【００１５】
この凹部３０は、自動販売機１が販売する商品と略同一形状を有する商品サンプル３１と、商品イメージを高揚させるポスター等の広告を展示する展示室となる部分である。
【００１６】
図３に示すように、凹部３０には、表示シート３２が着脱可能に取り付けてある。より詳細には、表示シート３２は、商品サンプル３１と広告３３等に光を照射する蛍光灯３４の取付金具３５とネジ等によって共締めすることにより、着脱可能に取り付けてある。蛍光灯３４の取付金具３５は、蛍光灯３４を水平方向に配設すべく、凹部３０の水直方向に複数段（図の例では４段）取り付けてある。
【００１７】
このように配設した蛍光灯３４（最上段の蛍光灯３４を除く）を覆うように、水直方向に複数段のサンプル台３６が着脱可能に取り付けてある。サンプル台３６には、商品サンプル３１が着脱可能に取り付けてある。したがって、最上段の蛍光灯３４は上段のサンプル台３６に取り付けた商品サンプル３１に光を照射し、上段のサンプル台３６に内蔵した蛍光灯３４（２段目の蛍光灯）は中段のサンプル台３６に取り付けた商品サンプル３１に光を照射する。そして、中段のサンプル台３６に内蔵した蛍光灯３４（３段目の蛍光灯）は下段のサンプル台３６に取り付けた商品サンプル３１に光を照射し、下段のサンプル台３６（最下段の蛍光灯）は下段のサンプル台３６の下方に貼着したポスター等の広告に光を照射する。
【００１８】
表示シート３２には、外扉３から展示室を強調する色彩又は広告等の表示が施してある。また、表示シート３２の裏面には、表面と異なる色彩又は広告等の表示が施してある。
【００１９】
また、サンプル台３６の前面には、商品サンプル３１に対応する商品が加熱商品であるか、冷却商品であるかを表示する表示部３７が設けてある。
【００２０】
外扉３には、展示室の前面をなす透明な展示扉４０が開閉可能に取り付けてある。展示扉４０は展示室をなす凹部３０よりもやや大きく形成してあり、周縁部に枠体４０ａを有し、展示扉４０を強化している。この展示扉４０の前面には、商品サンプル３１に対応する選択ボタン４１を配設したボタン部４２が水直方向に複数段（図の例では３段）配設してある。したがって、自動販売機１の利用者は、商品サンプル３１と対応する選択ボタン４１を押下することにより、購入を希望する商品の選択が可能である。
【００２１】
なお、外扉３の右方中程には、金額表示器４、紙幣挿入口５、硬貨投入口６、返却レバー７が配設してあり、硬貨投入口６の下方には釣銭取出口８が配設してある。外扉３の下方部には、商品取出口９が配設してある。
【００２２】
上述した実施例１に係る自動販売機では、表示シート３２を蛍光灯３４の取付金具３５とネジ等によって共締めすることにより、着脱可能に取り付けるものとしたが、取付金具３５のネジ締めによって表示シート３２を取付金具３５と凹部３０との間に挟み込むことにより、着脱可能に取り付けても良い。また、これら蛍光灯３４の取付金具３５、あるいは取付金具３５で挟み込むことなく、別途ネジ等によって着脱可能に取り付けても良い。さらに、表示シート３２をマグネットシートにより形成し、磁力を用いて凹部３０に着脱可能に取り付けても良いし、両面テープ等により貼着しても良い。
【００２３】
また、選択ボタン４１を配設したボタン部４２を展示扉４０の水直方向に複数段配設するものとしたが、自動販売機１の利用者が押下しやすい位置（例えば、硬貨投入口６の近傍）に選択ボタン４１を集中して配設しても良い。
【００２４】
上述した実施例１に係る自動販売機によれば、外扉３に凹部３０を一体に形成したので、中扉を設ける必要がなく、外扉３の剛性を高めることができ、展示室の破壊に起因する商品及び貨幣の盗難を回避できる一方、表示シート３２によって、展示室を強調し、展示室の背景に広告等を施すことができる。また、外扉３の制作過程において、マスキング等を施して塗装する必要がなく、外扉３の制作を容易で安価なものとすることができる。
【００２５】
また、表示シート３２を着脱可能に取り付けたので、塗装し直すことなく、自動販売機１の設置事業者は展示室の背景を変更できる。
【００２６】
また、表示シート３２の表面と裏面とに異なる表示を施したので、表示シート３２を交換することなく、自動販売機１の設置事業者の意志によって、自動販売機１の展示室の背景を表示シート３２の表面に施したものと裏面に施したものとから一方を任意に選択できる。
【００２７】
さらに、外扉３を開放することなく、展示扉４０を開放すれば、表示シート３２を交換できるので、自動販売機１の設置場所において、商品及び貨幣の盗難に注意を払うことなく表示シート３２を交換できる。
【実施例２】
【００２８】
図４は、実施例２に係る自動販売機の展示室を示す分解斜視図である。実施例２に係る自動販売機は、図４に示すように、表示シート５１が蛍光灯３４の取付金具３５と蛍光灯３４の取付金具３５との間に配設可能となるように複数に分割したものであり、蛍光灯３４の取付金具３５、又はサンプル台３６によらず、別途ネジ止め等により、着脱可能に取り付けてある。
【００２９】
実施例２に係る自動販売機によれば、蛍光灯３４の取付金具３５、及びサンプル台３６を取り外すことなく、表示シート５１を簡易迅速に交換できる。
【００３０】
なお、表示シート５１はネジ止め等によらず、表示シート５１をマグネットシートで構成し、磁力を用いて着脱可能に構成しても良いし、両面テープ等により貼着しても良い。
【産業上の利用可能性】
【００３１】
以上のように、本発明に係る自動販売機は、展示室となる凹部を一体に形成した自動販売機に有用であり、特に、展示室を強調し、展示室の背景に広告等を施すことが可能な自動販売機に適している。
【図面の簡単な説明】
【００３２】
【図１】本発明の実施例に係る自動販売機の外観斜視図である。
【図２】図１に示した自動販売機の展示扉を開成した状態を示す外観斜視図である。
【図３】実施例１に係る自動販売機の展示室を示す分解斜視図である。
【図４】実施例２に係る自動販売機の展示室を示す分解斜視図である。
【符号の説明】
【００３３】
１    自動販売機
２    本体キャビネット
３    外扉
３０    凹部
３１    商品サンプル
３２    表示シート
３４    蛍光灯
３５    取付金具
３６    サンプル台
４０    展示扉
５１    表示シート
【図１】
2005235096.tif 000003
【図２】
2005235096.tif 000004
【図３】
2005235096.tif 000005
【図４】
2005235096.tif 000006